(57)【要約】【課題】光ディスク上に生じた汚れ位置を特定して表示させる光ディスク記録再生装置を提供する。【解決手段】光ディスクＤに記録されているデータ誤りを訂正するエラーフラグを出力する信号再生回路５と、予め光ディスクＤの領域に形成された基準マークＭを検出する基準マーク検出部６と、エラーフラグに基づいて、基準マークＭを通る基準直線１６を基準とした角度と光ディスクＤの中心と汚れが生じている位置とを結ぶ線上における汚れの位置を示す情報を出力する汚損検査部７と、汚損検査部７から出力された情報によって、汚れの位置を示す距離及び角度を表示する報知部８とを備えている。【選択図】      図１
2009009679.tif 000002
【特許請求の範囲】
【請求項１】
光ディスクにレーザ光を照射して再生を行う光ディスク再生装置において、
前記光ディスクから読み出された信号から再生データを出力し、データ誤りを訂正するＥＣＣ（Error  Correction  Code）で訂正不能な場合にエラーフラグを出力する信号再生回路と、
予め前記光ディスクのデータ領域以外の領域に形成された基準マークを検出する基準マーク検出部と、
前記光ディスク表面の汚れを検出し、前記信号再生回路から出力された前記エラーフラグに基づいて、前記基準マークを通る基準直線からの角度と前記光ディスクの中心からの前記汚れが生じている位置までの距離により前記汚れの位置を示す情報を出力する汚損検査部と、
前記汚損検査部から出力された前記情報によって、前記汚れの位置を示す前記距離及び前記角度を表示すると共に、前記汚れが前記再生データにエラーを生じるものか否かの表示を行う報知部と、
を備えたことを特徴とする光ディスク再生装置。
【請求項２】
光ディスクにレーザ光を照射して記録又は再生を行う光ディスク記録再生装置において、
前記光ディスクから読み出された信号から再生データを出力し、データ誤りを訂正するＥＣＣ（Error  Correction  Code）で訂正不能な場合にエラーフラグを出力する信号再生回路と、
前記光ディスクのデータ領域以外の領域に基準マークを記録する信号記録回路と、
前記基準マークを検出する基準マーク検出部と、
前記光ディスク表面の汚れを検出し、前記信号再生回路から出力された前記エラーフラグに基づいて、前記基準マークを通る基準直線からの角度と前記光ディスクの中心からの前記汚れが生じている位置までの距離により前記汚れの位置を示す情報を出力する汚損検査部と、
前記汚損検査部から出力された前記情報によって、前記汚れの位置を示す前記距離及び前記角度を表示すると共に、前記汚れが前記再生データにエラーを生じるものか否かの表示を行う報知部と、
を備えたことを特徴とする光ディスク記録再生装置。
【請求項３】
前記光ディスクは、前記データ領域以外の領域に、第１のトラックの一部の円弧には、前記基準マークが記録され、前記第１のトラックの一部以外の円弧には、第１のマークが記録され、前記第１のトラックの内周側又は外周側に前記第１のトラックの一部に対応する第２のトラックには、第２のマークが記録され、前記第１のトラックの一部以外に対応する前記第２のトラックには、第３のマークが形成され、
前記基準マークと前記第３のマークの反射率は、前記第１、第２のマークよりも高いことを特徴とする請求項１記載の光ディスク再生装置。
【請求項４】
前記信号記録回路によって、前記光ディスクの前記データ領域以外の領域に、第１のトラックの一部の円弧には、前記基準マークを記録し、前記第１のトラックの一部以外の円弧には、第１のマークを記録し、前記第１のトラックの内周側又は外周側に前記第１のトラックの一部に対応する第２のトラックには、第２のマークを記録し、前記第１のトラックの一部以外に対応する前記第２のトラックには、第３のマークを記録し、
前記基準マークと前記第３のマークの反射率は、前記第１、第２のマークよりも高いことを特徴とする請求項２記載の光ディスク記録再生装置。
【請求項５】
前記信号記録回路は、前記光ディスクのリードアウト領域の外側に目視マークを形成することを特徴とする請求項２記載の光ディスク記録再生装置。
【発明の詳細な説明】
【技術分野】
【０００１】
本発明は、光ディスク上の汚れ位置を検出して、その汚れ位置を特定可能な光ディスク再生装置及び光ディスク記録再生装置に関するものである。
【背景技術】
【０００２】
光ディスクの表面に付着した指紋、ほこり等の汚れを除去する光ディスク装置が特許文献1に記載されている。
即ち、特許文献１には、光ディスクから情報コード及び誤り訂正コードデータを読み取った後、エラー訂正部により訂正結果の符号長単位における誤りビット数の分布状態が所定の値を越えた時、光ディスクの指紋やほこり等の汚れ具合限界状態と判断して警告して、光ディスクの汚れを確実に検出し、その汚れを拭き取ることを促す光ディスク装置が記載されている。
【０００３】
【特許文献１】特開平５−３１４４７７号公報
【発明の開示】
【発明が解決しようとする課題】
【０００４】
しかしながら、誤りビット数の分布状態によって光ディスクの汚れを判断しているだけであるので、光ディスクのどこに汚れが発生しているかについては、示されないため、光ディスク表面全体を目視により確認して汚れ箇所を見つける必要があり、煩雑であった。また、汚れがエラーを生じない場合でも拭き取るので、拭き取る領域が大きいと汚れた領域以外の領域も汚してしまうため、信号劣化領域を広げてしまう。
【０００５】
また、光ディスクのリードアウトよりも外側領域には、データは記録されていないが、この外側領域に目視可能な汚れが存在する場合に、汚れを拭き取ってしまうことがあり、これによって、リードアウトよりも内側のデータ領域をも汚してしまうといった問題も生じていた。
【０００６】
そこで、本発明は、上記のような問題点を解消するためになされたもので、光ディスク上に生じた汚れ位置を特定して表示させ、その汚れが記録されている信号を劣化させない場合には、その汚れを拭き取らずにそのまま再生する光ディスク再生装置及び光ディスク記録再生装置を提供することを目的とする。
また、リードアウトの外側領域に汚れがある場合には、その汚れを拭き取らないようにリードアウトの外側領域に目視マークを光ディスクに記録及び検出する光ディスク記録再生装置を提供する。
【課題を解決するための手段】
【０００７】
本願発明における第１の発明は、光ディスクにレーザ光を照射して再生を行う光ディスク再生装置において、前記光ディスクから読み出された信号から再生データを出力し、データ誤りを訂正するＥＣＣ（Error  Correction  Code）で訂正不能な場合にエラーフラグを出力する信号再生回路と、予め前記光ディスクのデータ領域以外の領域に形成された基準マークを検出する基準マーク検出部と、前記光ディスク表面の汚れを検出し、前記信号再生回路から出力された前記エラーフラグに基づいて、前記基準マークを通る基準直線からの角度と前記光ディスクの中心からの前記汚れが生じている位置までの距離により前記汚れの位置を示す情報を出力する汚損検査部と、前記汚損検査部から出力された前記情報によって、前記汚れの位置を示す前記距離及び前記角度を表示すると共に、前記汚れが前記再生データにエラーを生じるものか否かの表示を行う報知部と、を備えたことを特徴とする光ディスク再生装置を提供する。
第２の発明は、光ディスクにレーザ光を照射して記録又は再生を行う光ディスク記録再生装置において、前記光ディスクから読み出された信号から再生データを出力し、データ誤りを訂正するＥＣＣ（Error  Correction  Code）で訂正不能な場合にエラーフラグを出力する信号再生回路と、前記光ディスクのデータ領域以外の領域に基準マークを記録する信号記録回路と、前記基準マークを検出する基準マーク検出部と、前記光ディスク表面の汚れを検出し、前記信号再生回路から出力された前記エラーフラグに基づいて、前記基準マークを通る基準直線からの角度と前記光ディスクの中心からの前記汚れが生じている位置までの距離により前記汚れの位置を示す情報を出力する汚損検査部と、前記汚損検査部から出力された前記情報によって、前記汚れの位置を示す前記距離及び前記角度を表示すると共に、前記汚れが前記再生データにエラーを生じるものか否かの表示を行う報知部と、を備えたことを特徴とする光ディスク記録再生装置を提供する。
第３の発明は、前記光ディスクは、前記データ領域以外の領域に、第１のトラックの一部の円弧には、前記基準マークが記録され、前記第１のトラックの一部以外の円弧には、第１のマークが記録され、前記第１のトラックの内周側又は外周側に前記第１のトラックの一部に対応する第２のトラックには、第２のマークが記録され、前記第１のトラックの一部以外に対応する前記第２のトラックには、第３のマークが形成され、前記基準マークと前記第３のマークの反射率は、前記第１、第２のマークよりも高いことを特徴とする請求項１記載の光ディスク再生装置を提供する。
第４の発明は、前記信号記録回路によって、前記光ディスクの前記データ領域以外の領域に、第１のトラックの一部の円弧には、前記基準マークを記録し、前記第１のトラックの一部以外の円弧には、第１のマークを記録し、前記第１のトラックの内周側又は外周側に前記第１のトラックの一部に対応する第２のトラックには、第２のマークを記録し、前記第１のトラックの一部以外に対応する前記第２のトラックには、第３のマークを記録し、前記基準マークと前記第３のマークの反射率は、前記第１、第２のマークよりも高いことを特徴とする請求項２記載の光ディスク記録再生装置を提供する。
第５の発明は、前記信号記録回路は、前記光ディスクのリードアウト領域の外側に目視マークを形成することを特徴とする請求項２記載の光ディスク記録再生装置を提供する。
【発明の効果】
【０００８】
本願発明によれば、予め光ディスクのデータ領域以外の領域に形成された基準マークを検出する基準マーク検出部と、光ディスク表面の汚れを検出し、信号再生回路から出力されたエラーフラグに基づいて、基準マークを通る基準直線からの角度と光ディスクの中心からの前記汚れが生じている位置までの距離により汚れの位置を示す情報を出力する汚損検査部と、汚損検査部から出力された情報によって、汚れの位置を示す距離及び角度を表示すると共に、汚れが前記再生データにエラーを生じるものか否かの表示を行う報知部とを備えているので、光ディスク上に生じた汚れ位置を特定して表示させ、その汚れが記録されている信号を劣化させない場合には、その汚れを拭き取らずにそのまま再生することができる。
更に、光ディスクのデータ領域以外の領域に基準マークを記録する信号記録回路を備えているので、記録が可能であると共に、任意の反射光量が得られる基準マークを形成することができる。
また、光ディスクは、基準マークと第３のマークの反射率は、第１、第２のマークよりも高いので、基準マークを目視により確認することができるため、汚れの位置を容易に特定できる。
更にまた、リードアウト領域の外側に目視マークを形成しているので、リードアウト領域の外側に汚れが形成され場合には、拭き取ることによって、データ領域が汚れることを防止できる。
【発明を実施するための最良の形態】
【０００９】
以下に本発明の実施の形態について図１乃至図３を用いて説明する。
図１は、本発明の実施の形態の光ディスク記録再生装置を示すブロック図である。
図２は、データ領域に汚れがある場合の光ディスクを示す平面図である。
図３は、反射率の記録パワー依存性を示す図である。
図４は、リードアウト領域の外側に汚れがある場合の光ディスクを示す平面図である。
図５は、本発明の実施の形態の光ディスク再生装置を示すブロック図である。
【００１０】
まずは、本発明の実施の形態について説明する。
本発明の実施の形態に係る光ディスク記録再生装置１は、レーザ光を照射して、光ディスクＤに記録された信号の再生や光ディスクＤにレーザ光を照射して記録を行う光ピックアップ２と、フォーカス信号及びトラッキング信号を光ピックアップ２に出力するサーボ信号処理部３と、外部から供給される記録データから光ディスクＤに記録信号、高い反射率を有するようにトラック１４、１５上にマークＭ、Ｎ、Ｏ、Ｐを記録する信号記録回路４と、光ディスクＤから読み出された信号を再生データに変換すると共に、データ誤りを訂正するＥＣＣ（Error  Correction  Code）を格納し、このＥＣＣで訂正不能な場合にエラーフラグを出力する信号再生回路５とを有している。
更に、光ディスク記録再生装置１は、光ディスクＤのリードイン領域１１内に形成されている基準マークＭを検出する基準マーク検出部６と、光ディスクＤ表面の指紋１８を検出し、信号再生回路５から出力されたエラーフラグに基づいて、指紋１８がデータ領域１２に記録されている信号を劣化させると判断された場合に、基準マークＭを通る基準直線１６からの角度θと光ディスクＤの中心から指紋１８までの距離ｒによって、指紋１８の位置を示す情報を出力する汚損検査部７と、汚損検査部７から出力された情報によって、指紋１８の位置を示す距離ｒ、角度θで表示すると共に、前記汚れが再生データにエラーを生じるものか否かの表示を行う報知部８と、全体を制御する制御部９とを有している。
【００１１】
図２に示すように、光ディスクＤには、中央部に中心孔１０を有し、この中心孔１０の外側にリードイン領域１１、データ領域１２、リードアウト領域１３、外周ゾーンＱが順次形成されている。そして、光ディスクＤには、同心円状にトラックが形成されている。リードイン領域１１内には、内周トラック１４とこの内周トラック１４の外側に外周トラック１５とが形成されている。
光ディスクＤの予め決められた半径方向の直線を基準直線１６とするとき、内周トラック１４は、基準直線１６と５°をなす直線１７とで囲まれた円弧トラック１４Ａとこれ以外の円弧トラック１４Ｂとからなる。
外周トラック１５は、基準直線１６と５°をなす直線１７とで囲まれた円弧トラック１５Ａとこれ以外の円弧トラック１５Ｂとからなる。
【００１２】
次に、光ディスクＤに記録データを記録した後に光ディスクＤ上に指紋１８が形成されている場合に、基準マークＭを用いてその位置を検出する光ディスク記録再生装置の動作について説明する。
レーザ光が指紋１８で反射される反射光量は、情報が記録されているデータ領域１２よりも２０％低いとする。また、図３に示すように、レーザ光による反射光量は、記録パワーに比例して低くなる。
そして、信号記録回路４から記録信号を光ピックアップ２に出力して、光ディスクＤに信号を記録した後に、光ディスクＤ上に指紋１８が形成されたとする。
【００１３】
サーボ信号処理部３からフォーカス信号及びトラッキング信号を光ピックアップ２に出力して光ピックアップ２のフォーカス及びトラッキング制御を行いながら、信号記録回路４から記録信号を出力して、光ピックアップ２から記録パワーを制御したレーザ光を出射させ、リードイン領域１１内のトラック１４、１５にマークＭ、Ｎ、Ｏ、Ｐを記録する。
【００１４】
ここで、データ領域１２に情報を記録する記録パワーを基準記録パワーとするとき、円弧トラック１５Ａ上に基準マークＭを記録する記録パワー及び円弧トラック１４Ｂ上にマークＰを記録する記録パワーは、基準記録パワーの１１０％であり、円弧トラック１５Ｂ及び円弧トラック１４Ａ上にマークＮ、Ｏを記録する記録パワーは、基準記録パワーの９０％である。
このため、各マークＭ、Ｎ、Ｏ、Ｐの反射光量は、円弧トラック１４Ｂ及び円弧トラック１５Ａ＞データ領域１２、リードイン領域１１、リードアウト１３、外周ゾーンＱ＞円弧トラック１４Ａ及び円弧トラック１５Ｂの関係を有する。
円弧トラック１４Ａ、１４Ｂ、１５Ａ、１５Ｂ上に形成されたマークＭ、Ｎ、Ｏ、Ｐの半径方向の幅は、複数のトラックに跨り、０．５ｍｍである。
上記のようにすることにより、基準マークＭ及びその他のマークＮ、Ｏ、Ｐの視認性を増すことができる。
【００１５】
図２中では、円弧トラック１４Ｂ及び円弧トラック１５Ａ上に形成されているマークＰ、Ｍの反射率が円弧トラック１４Ａおよび１５Ｂよりも高いことを示すために、円弧トラック１４Ｂ及び円弧トラック１５Ａ上に形成されているマークＰ、Ｍの実線を円弧トラック１４Ａおよび円弧トラック１５Ｂよりも太くしてある。
【００１６】
次に、基準マークＭを基準マーク検出回路６で検出する。
次に、光ピックアップ２からレーザ光を出射して、汚損検査部７で反射光量がデータ領域１２の反射光量より２０％低い指紋１８を検出すると共に、信号再生回路５からエラーフラグを出力する。
更に、汚損検査部７は、ＥＣＣで訂正不能となった場合に信号再生回路５から出力されたエラーフラグによって基準直線１６からの角度θと光ディスクＤの中心から指紋１８までの距離ｒから指紋１８の位置を算出して出力する。
【００１７】
次に、報知部８は、汚損検査部７から出力された基準直線１６からの角度θと光ディスクＤの中心から指紋１８までの距離ｒと共に、エラーを生じることを表示する。
具体的には、「距離ｒ、角度θの指紋１８がエラーを生じます。」との表示がなされる。この表示によって、指紋１８を拭き取る。
反射光量がデータ領域１２の反射光量の１０％以内である場合には、「距離ｒ、角度θの指紋があります。」との表示がなされる。この場合には、指紋１８は、拭き取らずにそのままの状態とする。
【００１８】
以上のように、本発明の実施の形態によれば、ＥＣＣで訂正不能な場合にエラーフラグを出力する信号再生回路５と、光ディスクＤのリードイン領域１１内に形成されている基準マークＭを検出する基準マーク検出部６と、光ディスクＤ表面の指紋１８を検出し、信号再生回路５から出力されたエラーフラグに基づいて、基準マークＭを通る基準直線１６からの角度θと光ディスクＤの中心から指紋１８までの距離ｒを算出して指紋１８の位置を示す情報を出力する汚損検査部７と、汚損検査部７から出力された情報によって、指紋１８の位置を示す距離ｒ、角度θを表示すると共に、データ領域１２に形成された指紋１８がエラーを生じるか否かの表示を行う報知部８とを有しているので、光ディスクＤ上に生じた指紋１８の汚れがデータ領域１２に記録されている信号を劣化させない場合には、その汚れを拭き取らずにそのまま再生できるため、拭き取りによる劣化を低減できる。
【００１９】
次に、指紋１８が上述したデータ領域１２に形成される代わりに、外周ゾーンＱに形成された場合の光ディスク記録再生装置の動作について図４を用いて説明する。
図４に示すように、上記した同様に、サーボ信号処理部３からフォーカス信号及びトラッキング信号を光ピックアップ２に出力して、光ピックアップ２のフォーカス及びトラッキング制御を行いながら、信号記録回路４から記録信号を出力して、光ピックアップ２から記録パワーを制御したレーザ光を出射させ、リードアウト領域１３に隣接する外側の外周ゾーンＱ内に目視可能な同心円状の目視マーク１９を形成する。
【００２０】
ここで、目視マーク１９は、以下のようにして目視可能に形成できる。目視マーク１９は、内周側から外周側に向かって順番に形成された３つのマーク１９Ａ、１９Ｂ、１９Ｃからなる。
マーク１９Ａは、リードアウト領域１３の１ｍｍ外側に基準記録パワーの９０％でリードアウト領域１３に沿って半径方向の幅を１ｍｍにして形成される。
マーク１９Ｂは、マーク１９Ａに隣接する外側に基準記録パワーの１１０％でマーク１９Ａに沿って半径方向の幅を１ｍｍにして形成する。
マーク１９Ｃは、マーク１９Ｂに隣接する外側に基準記録パワーの９０％でマーク１９Ｂに沿って半径方向の幅を１ｍｍにして形成する。
こうすることによって、マーク１９Ｂは、マーク１９Ａ、１９Ｃよりも反射率を低くすることができるので、より見易くなる。
マーク１９Ａ、１９Ｃとマーク１９Ｂを形成する基準記録パワーの関係を逆にしても良い。
【００２１】
以上のように、リードアウト領域１３に隣接する外側の外周ゾーンＱ内に同心円状の目視マーク１９を形成する信号記録回路４を有しているので、目視マーク１９よりも外側の外周ゾーンＱ内に汚れがある場合には、その汚れを拭き取らないようにすることができる。
このため、その汚れを拭き取りによるリードイン領域１１からリードアウト領域１３までの領域を汚すことを防止できる。
【００２２】
なお、本発明の実施の形態では、光ディスク記録再生装置の場合について説明したが、光ディスク再生専用である場合には、図５に示すように、信号記録回路４が不要である。この場合には、予め表面に基準マークＭ、円弧トラック１４Ａ、１４Ｂ、１５Ａ、１５Ｂ上にマークＭ、Ｎ、Ｏ、Ｐが記録されている光ディスクＤが用いられる。上記した説明では、基準マークＭとしては、円弧トラック１５Ａを用いたが、これ以外の円弧トラックに記録されたマークを用いても良い。
また、基準マークＭの半径方向の幅を０．５ｍｍにしたが、０．１ｍｍ〜２ｍｍでも良い。マークＭ、Ｎ、Ｏ、Ｐは、リードイン領域１２内の内周トラック１４及び外周トラック１５上に記録したが、リードアウト領域１３やリードアウトの外周ゾーンＱ領域に形成しても良い。こうすることによって、ユーザにとって視認性が増すので利便性が増す。
【００２３】
この場合、円弧トラック１５Ａ及び内周トラック１４Ｂへの記録パワーを、基準記録パワーの１３０％とし、円弧トラック１５Ｂ及び内周トラック１５Ａへの記録パワーを、基準記録パワーの７０％としても良い。また、内周トラック１４及び外周トラック１５に記録されるマークの反射率の関係を逆にしても良い。
上記したことは、トラックが螺旋状の場合でも適用可能であり、更に記録型ディスク、再生専用ディスク用のマスターディスク及びこのマスターディスクのレプリカディスクの場合にも適用可能である。
【図面の簡単な説明】
【００２４】
【図１】本発明の実施の形態の光ディスク記録再生装置を示すブロック図である。
【図２】データ領域に汚れがある場合の光ディスクを示す平面図である。
【図３】反射率の記録パワー依存性を示す図である。
【図４】外周ゾーンに汚れが有る場合の光ディスクを示す平面図である。
【図５】本発明の実施の形態の光ディスク再生装置を示すブロック図である。
【符号の説明】
【００２５】
１…光ディスク記録再生装置、２…光ピックアップ、３…サーボ信号処理部、４…信号記録回路、５…信号再生回路、６…基準マーク検出部、７…汚損検査部、８…報知部、９…制御部、１０…中心孔、１１…リードイン領域、１２…データ領域、１３…リードアウト領域、１４…内周トラック、１４Ａ、１４Ｂ、１５Ａ、１５Ｂ…円弧トラック、１５…外周トラック、１６…基準直線、１７…直線、１８…指紋、１９…目視マーク、Ｄ…光ディスク、Ｍ…基準マーク、Ｎ、Ｏ、Ｐ…マーク、Ｑ…外周ゾーン
【図１】
2009009679.tif 000003
【図２】
2009009679.tif 000004
【図３】
2009009679.tif 000005
【図４】
2009009679.tif 000006
【図５】
2009009679.tif 000007